(57)【要約】【課題】画面が回転しても画像が正しく見えるようにする液晶表示装置を得る。【解決手段】画面変更のための複数の画面変更信号を格納する記憶部、外部から供給される１水平ライン分の画像データをｋ個の奇数小画像データとｋ個の偶数小画像データとに区分し、ｋ個の奇数小画像データを順次出力すると共にｋ個の偶数小画像データを順次出力するタイミングコントローラを含み、タイミングコントローラは、格納部から選択された一つの画面変更信号によりｋ個の奇数小画像データのうち少なくとも一つに含まれた画像データの出力位置を変更すると共に、ｋ個の偶数小画像データのうち少なくとも一つに含まれた画像データの出力位置を変更する第１方式及び格納部から選択された他の一つの画面変更信号によりｋ個の奇数小画像データとｋ個の偶数小画像データの出力位置を変更する第２方式のうち少なくとも一つの方式で１水平ライン分の画像データの出力位置を変更する。【選択図】図１
2010156961.tif 000002
【特許請求の範囲】
【請求項１】
複数の画面変更信号が格納された記憶部と、
外部から供給される１水平ライン分の画像データを、ｋ個の奇数小画像データとｋ個の偶数小画像データとに区分し、ｋ個の奇数小画像データを順次出力するとともに、ｋ個の偶数小画像データを順次出力するタイミングコントローラと
を含み、
前記タイミングコントローラは、前記格納部から選択された一つの画面変更信号によって、ｋ個の奇数小画像データのうち少なくとも一つに含まれた画像データの出力位置を変更するとともに、ｋ個の偶数小画像データのうち少なくとも一つに含まれた画像データの出力位置を変更する第１方式、及び前記格納部から選択された他の一つの画面変更信号によって、ｋ個の奇数小画像データとｋ個の偶数小画像データの出力位置を変更する第２方式のうち少なくとも一つの方式で、１水平ライン分の画像データの出力位置を変更する
ことを特徴とする液晶表示装置。
【請求項２】
前記タイミングコントローラからのｋ個の奇数小画像データを順次受け取り、前記ｋ個の奇数小画像データを順次ラッチするｋ個の奇数ラッチと、
前記タイミングコントローラからのｋ個の偶数小画像データを順次受け取り、前記ｋ個の偶数小画像データを順次ラッチするｋ個の偶数ラッチを有するデータドライバと
をさらに含み、
前記タイミングコントローラが前記第１方式により１水平ライン分の画像データの出力位置を変更する場合、前記データドライバは、前記格納部から選択されたいずれか一つの画面変更信号によって前記奇数ラッチのラッチ順序及び前記偶数ラッチのラッチ順序を変更する
ことを特徴とする請求項１に記載の液晶表示装置。
【請求項３】
前記タイミングコントローラが前記第２方式を含むいずれか一つの方式で１水平ライン分の画像データの出力位置を変更できるように、外部から前記タイミングコントローラに供給される１水平ライン分の画像データを格納するラインメモリをさらに含む
ことを特徴とする請求項２に記載の液晶表示装置。
【請求項４】
ｋ個の奇数及び偶数小画像データのそれぞれは、第１赤色画像データ、第１緑色画像データ、第１青色画像データ、第１赤色／緑色／青色画像データ、第２赤色画像データ、第２緑色画像データ、第２青色画像データ及び第２赤色／緑色／青色画像データを含み、
前記第１赤色／緑色／青色画像データは、前記第１赤色画像データの最上位ビット、前記第１緑色画像データの最上位ビット及び前記第１青色画像データの最上位ビットを含み、
前記第２赤色／緑色／青色画像データは、前記第２赤色画像データの最上位ビット、前記第２緑色画像データの最上位ビット及び前記第２青色画像データの最上位ビットを含むことを特徴とする請求項３に記載の液晶表示装置。
【請求項５】
前記第１方式によって、前記タイミングコントローラは、
前記奇数小画像データ中の第１青色画像データを１番奇数出力ピンから出力し、前記奇数小画像データ中の第１緑色画像データを２番奇数出力ピンから出力し、前記奇数小画像データ中の第１赤色画像データを３番奇数出力ピンから出力し、前記奇数小画像データ中の第１赤色／緑色／青色画像データを４番奇数出力ピンから出力し、前記奇数小画像データ中の第２青色画像データを５番奇数出力ピンから出力し、前記奇数小画像データ中の第２緑色画像データを６番奇数出力ピンから出力し、前記奇数小画像データ中の第２赤色画像データを７番奇数出力ピンから出力し、前記奇数小画像データ中の第２赤色／緑色／青色画像データを８番奇数出力ピンから出力し、前記偶数小画像データ中の第１青色画像データを１番偶数出力ピンから出力し、前記偶数小画像データ中の第１緑色画像データを２番偶数出力ピンから出力し、前記偶数小画像データ中の第１赤色画像データを３番偶数出力ピンから出力し、前記偶数小画像データ中の第１赤色／緑色／青色画像データを４番偶数出力ピンから出力し、前記偶数小画像データ中の第２青色画像データを５番偶数出力ピンから出力し、前記偶数小画像データ中の第２緑色画像データを６番偶数出力ピンから出力し、前記偶数小画像データ中の第２赤色画像データを７番偶数出力ピンから出力し、そして前記偶数小画像データ中の第２赤色／緑色／青色画像データを８番偶数出力ピンから出力する
ことを特徴とする請求項４に記載の液晶表示装置。
【請求項６】
前記第１方式によって、前記タイミングコントローラは、
前記奇数小画像データ中の第２青色画像データを１番奇数出力ピンから出力し、前記奇数小画像データ中の第２緑色画像データを２番奇数出力ピンから出力し、前記奇数小画像データ中の第２赤色画像データを３番奇数出力ピンから出力し、前記奇数小画像データ中の第２赤色／緑色／青色画像データを４番奇数出力ピンから出力し、前記奇数小画像データ中の第１青色画像データを５番奇数出力ピンから出力し、前記奇数小画像データ中の第１緑色画像データを６番奇数出力ピンから出力し、前記奇数小画像データ中の第１赤色画像データを７番奇数出力ピンから出力し、前記奇数小画像データ中の第１赤色／緑色／青色画像データを８番奇数出力ピンから出力し、前記偶数小画像データ中の第２青色画像データを１番偶数出力ピンから出力し、前記偶数小画像データ中の第２緑色画像データを２番偶数出力ピンから出力し、前記偶数小画像データ中の第２赤色画像データを３番偶数出力ピンから出力し、前記偶数小画像データ中の第２赤色／緑色／青色画像データを４番偶数出力ピンから出力し、前記偶数小画像データ中の第１青色画像データを５番偶数出力ピンから出力し、前記偶数小画像データ中の第１緑色画像データを６番偶数出力ピンから出力し、前記偶数小画像データ中の第１赤色画像データを７番偶数出力ピンから出力し、そして前記偶数小画像データ中の第１赤色／緑色／青色画像データを８番偶数出力ピンから出力する
ことを特徴とする請求項４に記載の液晶表示装置。
【請求項７】
前記第１方式によって、前記タイミングコントローラは、
前記奇数小画像データ中の第１赤色／緑色／青色画像データを１番奇数出力ピンから出力し、前記奇数小画像データ中の第１赤色画像データを２番奇数出力ピンから出力し、前記奇数小画像データ中の第１緑色画像データを３番奇数出力ピンから出力し、前記奇数小画像データ中の第１青色画像データを４番奇数出力ピンから出力し、前記奇数小画像データ中の第２赤色／緑色／青色画像データを５番奇数出力ピンから出力し、前記奇数小画像データ中の第２赤色画像データを６番奇数出力ピンから出力し、前記奇数小画像データ中の第２緑色画像データを７番奇数出力ピンから出力し、前記奇数小画像データ中の第２青色画像データを８番奇数出力ピンから出力し、前記偶数小画像データ中の第１赤色／緑色／青色画像データを１番偶数出力ピンから出力し、前記偶数小画像データ中の第１赤色画像データを２番偶数出力ピンから出力し、前記偶数小画像データ中の第１緑色画像データを３番偶数出力ピンから出力し、前記偶数小画像データ中の第１青色画像データを４番偶数出力ピンから出力し、前記偶数小画像データ中の第２赤色／緑色／青色画像データを５番偶数出力ピンから出力し、前記偶数小画像データ中の第２赤色画像データを６番偶数出力ピンから出力し、前記偶数小画像データ中の第２緑色画像データを７番偶数出力ピンから出力し、そして前記偶数小画像データ中の第２青色画像データを８番偶数出力ピンから出力する
ことを特徴とする請求項４に記載の液晶表示装置。
【請求項８】
前記第２方式によって、前記タイミングコントローラは、
前記偶数小画像データ中の第１赤色画像データを１番奇数出力ピンから出力し、前記偶数小画像データ中の第１緑色画像データを２番奇数出力ピンから出力し、前記偶数小画像データ中の第１青色画像データを３番奇数出力ピンから出力し、前記偶数小画像データ中の第１赤色／緑色／青色画像データを４番奇数出力ピンから出力し、前記偶数小画像データ中の第２赤色画像データを５番奇数出力ピンから出力し、前記偶数小画像データ中の第２緑色画像データを６番奇数出力ピンから出力し、前記偶数小画像データ中の第２青色画像データを７番奇数出力ピンから出力し、前記偶数小画像データ中の第２赤色／緑色／青色画像データを８番奇数出力ピンから出力し、前記奇数小画像データ中の第１赤色画像データを１番偶数出力ピンから出力し、前記奇数小画像データ中の第１緑色画像データを２番偶数出力ピンから出力し、前記奇数小画像データ中の第１青色画像データを３番偶数出力ピンから出力し、前記奇数小画像データ中の第１赤色／緑色／青色画像データを４番偶数出力ピンから出力し、前記奇数小画像データ中の第２赤色画像データを５番偶数出力ピンから出力し、前記奇数小画像データ中の第２緑色画像データを６番偶数出力ピンから出力し、前記奇数小画像データ中の第２青色画像データを７番偶数出力ピンから出力し、前記奇数小画像データ中の第２赤色／緑色／青色画像データを８番偶数出力ピンから出力する
ことを特徴とする請求項４に記載の液晶表示装置。
【請求項９】
前記第１及び第２方式の組み合わせによって、前記タイミングコントローラは、
前記偶数小画像データ中の第１赤色／緑色／青色画像データを１番奇数出力ピンから出力し、前記偶数小画像データ中の第１赤色画像データを２番奇数出力ピンから出力し、前記偶数小画像データ中の第１緑色画像データを３番奇数出力ピンから出力し、前記偶数小画像データ中の第１青色画像データを４番奇数出力ピンから出力し、前記偶数小画像データ中の第２赤色／緑色／青色画像データを５番奇数出力ピンから出力し、前記偶数小画像データ中の第２赤色画像データを６番奇数出力ピンから出力し、前記偶数小画像データ中の第２緑色画像データを７番奇数出力ピンから出力し、前記偶数小画像データ中の第２青色画像データを８番奇数出力ピンから出力し、前記奇数小画像データ中の第１赤色／緑色／青色画像データを１番偶数出力ピンから出力し、前記奇数小画像データ中の第１赤色画像データを２番偶数出力ピンから出力し、前記奇数小画像データ中の第１緑色画像データを３番偶数出力ピンから出力し、前記奇数小画像データ中の第１青色画像データを４番偶数出力ピンから出力し、前記奇数小画像データ中の第２赤色／緑色／青色画像データを５番偶数出力ピンから出力し、前記奇数小画像データ中の第２赤色画像データを６番偶数出力ピンから出力し、前記奇数小画像データ中の第２緑色画像データを７番偶数出力ピンから出力し、前記奇数小画像データ中の第２青色画像データを８番偶数出力ピンから出力することを特徴とする請求項４に記載の液晶表示装置。
【発明の詳細な説明】
【技術分野】
【０００１】
本発明は、液晶表示装置に関するもので、特に、画面が回転しても画像が正しく見えるようにすることができる液晶表示装置に関する。
【背景技術】
【０００２】
液晶表示装置は、ビデオ信号によって液晶セルの光透過率を調節して画像を表示する。アクティブマトリクス（Active Matrix）タイプの液晶表示装置は、画素セルごとにスイッチング素子が形成されており、動画像を表示するのに有利である。スイッチング素子としては、主に、薄膜トランジスタ（Thin Film Transistor；以下、“ＴＦＴ”という）が用いられている。
【０００３】
しかしながら、従来の液晶表示装置は、画面の回転時に画像が正しく表示されないという問題点があった。
【発明の概要】
【発明が解決しようとする課題】
【０００４】
本発明は、上記の問題点を解決するために案出されたもので、様々なデータマッピングを用いて画像データの出力位置を変更させることによって、画面の回転時にも正しい画像を表示することができる液晶表示装置を提供することを目的とする。
【課題を解決するための手段】
【０００５】
上記目的を達成するための本発明による液晶表示装置は、複数の画面変更信号が格納された記憶部と、外部から供給される１水平ライン分の画像データを、ｋ個の奇数小画像データとｋ個の偶数小画像データとに区分し、ｋ個の奇数小画像データを順次出力するとともに、ｋ個の偶数小画像データを順次出力するタイミングコントローラとを含み、前記タイミングコントローラは、前記格納部から選択された一つの画面変更信号によって、ｋ個の奇数小画像データのうち少なくとも一つに含まれた画像データの出力位置を変更するとともに、ｋ個の偶数小画像データのうち少なくとも一つに含まれた画像データの出力位置を変更する第１方式、及び前記格納部から選択された他の一つの画面変更信号によって、ｋ個の奇数小画像データとｋ個の偶数小画像データの出力位置を変更する第２方式のうち少なくとも一つの方式で、１水平ライン分の画像データの出力位置を変更することを特徴とする。
【発明の効果】
【０００６】
本発明は、様々なデータマッピングを用いて画像データの出力位置を変更させることによって、画面の回転時にも正しい画像を表示することができる。
【図面の簡単な説明】
【０００７】
【図１】本発明の実施の形態による液晶表示装置を示す図である。
【図２】図１のタイミングコントローラの動作を説明するための図である。
【図３】別のデータマッピングがされていない状態におけるタイミングコントローラに格納された１水平ライン分の画像データの配列状態を示す図である。
【図４】本発明の第１の実施の形態によるデータマッピングを示す図である。
【図５】本発明の第２の実施の形態によるデータマッピングを示す図である。
【図６】本発明の第３の実施の形態によるデータマッピングを示す図である。
【図７】本発明の第４の実施の形態によるデータマッピングを示す図である。
【図８】本発明の第５の実施の形態によるデータマッピングを示す図である。
【発明を実施するための形態】
【０００８】
図１は、本発明の実施の形態による液晶表示装置を示す図である。
【０００９】
本発明の実施の形態による液晶表示装置は、図１に示すように、互いに交差するゲートラインＧＬ及びデータラインＤＬ、及び該各ゲートラインＧＬと各データラインＤＬとの交差部に形成された薄膜トランジスタＴＦＴを含む表示パネル１００と、該表示パネル１００のデータラインＤＬにデータを入力するためのデータドライバＤＤと、表示パネル１００のゲートラインＧＬにスキャンパルスを入力するためのゲートドライバＧＤと、データドライバＤＤ及びゲートドライバＧＤを制御するためのタイミングコントローラＴＣとを備える。
【００１０】
各画素は、ゲートラインからのスキャンパルスに応答してデータラインからのデータをスイッチングする薄膜トランジスタと、該薄膜トランジスタでスイッチングされたデータによって画像を表示する液晶セルとを含む。この薄膜トランジスタＴＦＴのソース電極はデータラインＤＬに接続され、ドレイン電極は液晶セルの画素電極に接続される。そして、薄膜トランジスタＴＦＴのゲート電極はゲートラインＧＬに接続される。表示パネル１００は、液晶層を介在して互いに貼り合わせられたカラーフィルタアレイ基板とＴＦＴアレイ基板とを含む。カラーフィルタアレイ基板上には、カラーフィルタ及び共通電極が形成される。カラーフィルタは、赤色、緑色及び青色のカラーフィルタ層が配置され、特定波長帯域の光を透過させることでカラー表示を可能にする。隣接するカラーフィルタ層の間にはブラックマトリクス（Black Matrix）が形成される。
【００１１】
各液晶セルは、１フレーム期間、データを維持するための液晶容量キャパシタＣｌｃと、１フレーム期間、データを安定的に維持させるための補助容量キャパシタとを含む。
【００１２】
タイミングコントローラＴＣは、自身に入力される水平同期信号Ｈｓｙｎｃ、垂直同期信号Ｖｓｙｎｃ、及びクロック信号ＣＬＫを用いて、データ制御信号ＤＣＳとゲート制御信号ＧＣＳを発生させてデータドライバＤＤとゲートドライバＧＤに供給する。データ制御信号ＤＣＳは、ドットクロック、ソースシフトクロック、ソースイネーブル信号、極性反転信号などを含む。ゲート制御信号ＧＣＳは、ゲートスタートパルス、ゲートシフトクロック、ゲート出力イネーブル信号などを含み、ゲートドライバＧＤに入力される。
【００１３】
データドライバＤＤは、タイミングコントローラＴＣからのデータ制御信号ＤＣＳによってデータをサンプリングした後に、サンプリングされたデータを水平期間（Horizontal Time：１Ｈ，２Ｈ，・・・）ごとに１ライン分ずつラッチし、ラッチされたデータをデータラインＤＬに供給する。すなわち、データドライバＤＤは、タイミングコントローラＴＣからのデータＲ，Ｇ，Ｂを、電源発生部ＰＷから入力されるガンマ電圧ＧＭＡ１〜６を用いてアナログ画素信号に変換し、データラインＤＬに供給する。
【００１４】
ゲートドライバＧＤは、タイミングコントローラＴＣからのゲート制御信号ＧＣＳのうち、ゲートスタートパルスに応答してスキャンパルスを順次発生させるシフトレジスタと、スキャンパルスの電圧を液晶セルの駆動に適合する電圧レベルにシフトさせるためのレベルシフタとを含む。ゲートドライバＧＤは、ゲート制御信号ＧＣＳに応答してゲートラインＧＬに順次ゲートハイ電圧を供給する。
【００１５】
電源発生部ＰＷは、表示パネル１００に共通電極電圧Ｖｃｏｍを、データドライバＤＤにガンマ電圧ＧＭＡ１〜６を供給する。
【００１６】
一方、タイミングコントローラＴＣは、外部から供給される１水平ライン分の画像データを、ｋ個の奇数小画像データとｋ個の偶数小画像データとに区分し、ｋ個（ｋは、自然数）の奇数小画像データを順次出力するとともに、ｋ個の偶数小画像データを順次出力する。
【００１７】
ここで、タイミングコントローラＴＣは、記憶部１１１から選択されたいずれか一つの画面変更信号ＤＭＳによって１水平ライン分の画像データをマッピング（mapping）することによって、１水平ライン分の画像データの出力位置を変更させる。この時、タイミングコントローラＴＣは、選択された画面変更信号ＤＭＳによって第１方式または第２方式のいずれか、または、第１及び第２方式が組み合わせられた方式で１水平ライン分の画像データの出力位置を変更する。
【００１８】
すなわち、タイミングコントローラＴＣは、第１方式によってｋ個の奇数小画像データのうち少なくとも一つに含まれた画像データの出力位置を変更するとともに、ｋ個の偶数小画像データのうち少なくとも一つに含まれた画像データの出力位置を変更する。具体的に、第１方式によれば、一つの小画像データ（奇数小画像データまたは偶数小画像データ）中の画像データ同士の出力位置が変更される。
【００１９】
また、タイミングコントローラＴＣは、第２方式によって、ｋ個の奇数小画像データとｋ個の偶数小画像データとの出力位置を変更する。具体的に、第２方式によれば、奇数小画像データ中の画像データと偶数小画像データ中の画像データとの出力位置が変更される。
【００２０】
データドライバＤＤは、タイミングコントローラＴＣからｋ個の奇数小画像データを順次受け取り、ｋ個の奇数小画像データを順次ラッチするｋ個の奇数ラッチと、タイミングコントローラＴＣからｋ個の偶数小画像データを順次受け取り、ｋ個の偶数小画像データを順次ラッチするｋ個の偶数ラッチとを含む。
【００２１】
ここで、タイミングコントローラＴＣは、第１方式によって１水平ライン分の画像データの出力位置を変更する場合、データドライバＤＤは、記憶部１１１からの画面変更信号ＤＭＳによって奇数ラッチのラッチ順序及び偶数ラッチのラッチ順序を変更する。すなわち、データドライバＤＤは、奇数ラッチが、最左側の奇数ラッチから最右側の奇数ラッチの順にラッチを行うようにする、または、最右側の奇数ラッチから最左側の奇数ラッチの順にラッチを行うようにすることができる。また、データドライバＤＤは、偶数ラッチが、最左側の偶数ラッチから最右側の偶数ラッチの順にラッチを行うようにする、または、最右側の偶数ラッチから最左側の偶数ラッチの順にラッチを行うようにすることができる。記憶部１１１には、複数の画面変更信号ＤＭＳが記憶され、タイミングコントローラＴＣは、これらの画面変更信号ＤＭＳのいずれかによって、後述する複数のデータマッピング方式のいずれかを選択し、１水平ライン分の画像データの出力位置を制御する。この記憶部１１１は、ＥＥＰＲＯＭ（Electrically Erasable Programmable Read-Only Memory）とすることができる。
【００２２】
このように、タイミングコントローラＴＣは、液晶パネルの画面が、例えば、１８０°回転する場合、１水平ライン分の画像データを新しくマッピングし、また、データドライバＤＤが奇数ラッチ及び偶数ラッチのラッチ順序を変更することによって、画面が回転しても、ユーザに画面が正しく見えるようにする。
【００２３】
一方、タイミングコントローラＴＣが、第２方式を含むいずれか一つの方式で１水平ライン分の画像データの出力位置を変更する場合、タイミングコントローラＴＣは、外部から供給される１水平ライン分の画像データを、ラインメモリ１１５に格納する。すなわち、相異なる小画像データ、すなわち、奇数小画像データと偶数小画像データ間の位置を変更するためには、まず、ｋ個の奇数小画像データと偶数小画像データの両方を受信しなければならないので、それらｋ個の奇数小画像データ及びｋ個の偶数小画像データを含む１水平ライン分の画像データを、ラインメモリ１１５に格納する必要がある。このタイミングコントローラＴＣは、ラインメモリ１１５に格納された１水平ライン分の画像データの出力位置を変更する。
【００２４】
図２は、図１に示すタイミングコントローラＴＣの動作を説明するための図である。
【００２５】
図２に示すように、データドライバＤＤは、第１データドライブ集積回路ＤＩＣ１及び第２データドライブ集積回路ＤＩＣ２を含む。このデータドライバ集積回路の数はいくつでも構わないが、説明の便宜上、二つのデータドライブ集積回路として説明する。
【００２６】
タイミングコントローラＴＣには、図２に示すように、１水平ライン分に該当する画像データがマッピングされている。この１水平ライン分の画像データは、液晶パネルの右側画面に位置している半水平ラインに表示されるｋ個の奇数小画像データと、液晶パネルの左側画面に位置している半水平ラインに表示されるｋ個の偶数小画像データとを含む。後述するマッピング結果によって、ｋ個の奇数小画像データが、液晶パネルの左側画面に位置している半水平ラインに表示されることもでき、ｋ個の偶数小画像データが液晶パネルの右側画面に位置している半水平ラインに表示されることもできる。
【００２７】
ｋ個の奇数及び偶数小画像データのそれぞれは、第１赤色画像データ、第１緑色画像データ、第１青色画像データ、第１赤色／緑色／青色画像データ、第２赤色画像データ、第２緑色画像データ及び第２青色画像データ及び第２赤色／緑色／青色画像データを含む。すなわち、一つの小画像データ（奇数小画像データまたは偶数小画像データ）は、総８個の画像データ、具体的には、二つの赤色画像データ、二つの緑色画像データ、二つの青色画像データ、及び二つの赤色／緑色／青色画像データを含んでいる。一つの小画像データ（以下、小画像データ'は、奇数小画像データ'または偶数小画像データ'を指す）に含まれた画像データの数は制限されないが、本発明では、便宜上、上述した通り、一つの小画像データが８個の画像データを含むとする。
【００２８】
第１赤色画像データは、１Ｒ，・・・，（ｎ−１）Ｒ，・・・，（ｎ＋１）Ｒ，・・・，（２ｎ−１）Ｒ画像データを意味し、第１緑色画像データは、１Ｇ，・・・，（ｎ−１）Ｇ，・・・，（ｎ＋１）Ｇ，・・・，（２ｎ−１）Ｇ画像データを意味し、第１青色画像データは、１Ｂ，・・・，（ｎ−１）Ｂ，・・・，（ｎ＋１）Ｂ，・・・，（２ｎ−１）Ｂ画像データを意味し、第１赤色／緑色／青色画像データは、１Ｕ，・・・，（ｎ−１）Ｕ，・・・，（ｎ＋１）Ｕ，・・・，（２ｎ−１）Ｕ画像データを意味し、第２赤色画像データは、２Ｒ，・・・，ｎＲ，・・・，（ｎ＋２）Ｒ，・・・，２ｎＲ画像データを意味し、第２緑色画像データは、２Ｇ，・・・，ｎＧ，・・・，（ｎ＋２）Ｇ，・・・，２ｎＧ画像データを意味し、第２青色画像データは、２Ｂ，・・・，ｎＢ，・・・，（ｎ＋２）Ｂ，・・・，２ｎＢ画像データを意味し、第２赤色／緑色／青色画像データは、２Ｕ，・・・，ｎＵ，・・・，（ｎ＋２）Ｕ，・・・，２ｎＵ画像データを意味する。
【００２９】
一方、同一数字を有するＲ，Ｇ，Ｂ，Ｕ画像データは、一つの単位画像をなすためのデータであり、例えば、１Ｒ，１Ｇ，１Ｂ，１Ｕ画像データは、一つの単位画像を表すための単位画像データである。
【００３０】
第１赤色／緑色／青色画像データは、第１赤色画像データの最上位ビット、第１緑色画像データの最上位ビット及び第１青色画像データの最上位ビットを含む。そして、第２赤色／緑色／青色画像データは、第２赤色画像データの最上位ビット、第２緑色画像データの最上位ビット及び第２青色画像データの最上位ビットを含む。
【００３１】
第１赤色画像データ、第１緑色画像データ、第１青色画像データ、第２赤色画像データ、 第２緑色画像データ、第２青色画像データはそれぞれ、８ビットのデータであり、第１赤色／緑色／青色画像データ及び第２赤色／緑色／青色画像データはそれぞれ、６ビットのデータである。
【００３２】
一つの奇数小画像データに含まれた８個の画像データは、タイミングコントローラＴＣの１番〜８番奇数出力ピンＬＰ１〜ＬＰ８から同時に出力され、印刷回路基板ＰＣＢを通して第１データドライブ集積回路ＤＩＣ１の１番〜８番入力ピンＤ１〜Ｄ８に供給される。この時、この第１データドライブ集積回路ＤＩＣ１の１番〜３番入力ピンＤ１〜Ｄ３は、４番入力ピンＤ４に共通接続され、５番〜７番入力ピＤ５〜Ｄ７は、８番入力ピンＤ８に共通接続される。これにより、４番入力ピンＤ４に入力された画像データは、１番入力ピンＤ１の画像データ、２番入力ピンＤ２の画像データ及び３番入力ピンＤ３の画像データにそれぞれ加えられる。
【００３３】
一つの偶数小画像データに含まれた８個の画像データは、タイミングコントローラＴＣの１番〜８番偶数出力ピンＲＰ１〜ＲＰ８から同時に出力され、印刷回路基板ＰＣＢを通して第２データドライブ集積回路ＤＩＣ２の１番〜８番入力ピンＤ８に供給される。この時、第２データドライブ集積回路ＤＩＣ１の１番〜３番入力ピンＤ１〜Ｄ３は、４番入力ピンＤ４に共通接続され、５番〜７番入力ピンＤ５〜Ｄ７は、８番入力ピンＤ８に共通接続される。これにより、４番入力ピンＤ４に入力された画像データは、１番入力ピンＤ１の画像データ、２番入力ピンＤ２の画像データ及び３番入力ピンＤ３の画像データにそれぞれ加えられる。
【００３４】
ここで、ｋ個の奇数及び偶数画像データの出力順序は、次の通りである。
【００３５】
まず、第１行の左側に位置している８個の１Ｒ，１Ｇ，１Ｂ，１Ｕ，２Ｒ，２Ｇ，２Ｂ，２Ｕ画像データが、１番〜８番奇数出力ピンＬＰ１〜ＬＰ８から同時に出力されるとともに、第１行の右側に位置している８個の（ｎ＋１）Ｒ，（ｎ＋１）Ｇ，（ｎ＋１）Ｂ，（ｎ＋１）Ｕ，（ｎ＋２）Ｒ，（ｎ＋２）Ｇ，（ｎ＋２）Ｂ，（ｎ＋２）Ｕ画像データが、１番〜８番偶数出力ピンＲＰ１〜ＲＰ８から同時に出力され、続いて、第２行の左側に位置している８個の３Ｒ，３Ｇ，３Ｂ，３Ｕ，４Ｒ，４Ｇ，４Ｂ，４Ｕ画像データが、１番〜８番奇数出力ピンＬＰ１〜ＬＰ８から同時に出力されるとともに、第２行の右側に位置している８個の（ｎ＋３）Ｒ，（ｎ＋３）Ｇ，（ｎ＋３）Ｂ，（ｎ＋３）Ｕ，（ｎ＋４）Ｒ，（ｎ＋４）Ｇ，（ｎ＋４）Ｂ，（ｎ＋４）Ｕ画像データが、１番〜８番偶数出力ピン（ＲＰ１〜ＲＰ８）から同時に出力され、・・・・・・、第ｋ行の左側に位置している８個の（ｎ−１）Ｒ，（ｎ−１）Ｇ，（ｎ−１）Ｂ，（ｎ−１）Ｕ，ｎＲ，ｎＧ，ｎＢ，ｎＵ画像データが１番〜８番奇数出力ピンＬＰ１〜ＬＰ８から同時に出力されるとともに、第ｋ行の右側に位置している８個の（２ｎ−１）Ｒ，（２ｎ−１）Ｇ，（２ｎ−１）Ｂ，（２ｎ−１）Ｕ，２ｎＲ，２ｎＧ，２ｎＢ，２ｎＵ画像データが１番〜８番偶数出力ピンＲＰ１〜ＲＰ８から同時に出力される。
【００３６】
第１データドライブ集積回路ＤＩＣ１は、順次供給されるｋ個の奇数小画像データを、ｋ個の奇数ラッチを用いて順にラッチし、第２データドライブ集積回路ＤＩＣ２は、順次供給されるｋ個の偶数小画像データを、ｋ個の偶数ラッチを用いて順にラッチする。
ここで、タイミングコントローラＴＣの様々なデータマッピング方式について説明すると、下記の通りである。
【００３７】
図３は、別のデータマッピングがされていない状態におけるタイミングコントローラＴＣに格納された１水平ライン分の画像データの配列状態を示す図である。
【００３８】
図４は、本発明の第１の実施の形態によるデータマッピングを示す図である。
【００３９】
図４に示すデータマッピングは、第１方式に基づくものであり、図３と図４とを比較すると、第１赤色画像データと第２青色画像データの出力位置が互いに置き換わっていることがわかる。
【００４０】
すなわち、タイミングコントローラＴＣは、図４に示すように、奇数小画像データ中の第１青色画像データを１番奇数出力ピンＬＰ１から出力し、奇数小画像データ中の第１緑色画像データを２番奇数出力ピンＬＰ２から出力し、奇数小画像データ中の第１赤色画像データを３番奇数出力ピンＬＰ３から出力し、奇数小画像データ中の第１赤色／緑色／青色画像データを４番奇数出力ピンＬＰ４から出力し、奇数小画像データ中の第２青色画像データを５番奇数出力ピンＬＰ５から出力し、奇数小画像データ中の第２緑色画像データを６番奇数出力ピンＬＰ６から出力し、奇数小画像データ中の第２赤色画像データを７番奇数出力ピンＬＰ７から出力し、奇数小画像データ中の第２赤色／緑色／青色画像データを８番奇数出力ピンＬＰ８から出力し、偶数小画像データ中の第１青色画像データを１番偶数出力ピンＲＰ１から出力し、偶数小画像データ中の第１緑色画像データを２番偶数出力ピンＲＰ２から出力し、偶数小画像データ中の第１赤色画像データを３番偶数出力ピン（ＲＰ３）から出力し、偶数小画像データ中の第１赤色／緑色／青色画像データを４番偶数出力ピンＲＰ４から出力し、偶数小画像データ中の第２青色画像データを５番偶数出力ピンＲＰ５から出力し、偶数小画像データ中の第２緑色画像データを６番偶数出力ピンＲＰ６から出力し、偶数小画像データ中の第２赤色画像データを７番偶数出力ピンＲＰ７から出力し、そして偶数小画像データ中の第２赤色／緑色／青色画像データを８番偶数出力ピンＲＰ８から出力することを特徴とする。
【００４１】
図５は、本発明の第２の実施の形態によるデータマッピングを示す図である。
【００４２】
図５に示すデータマッピングは第１方式に基づくものであり、図３と図５とを比較すると、第１赤色画像データ、第１緑色画像データ、第１青色画像データ及び第１赤色／緑色／青色画像データからなる奇数番目の単位画像データと、第２赤色画像データ、第２緑色画像データ、第２青色画像データ及び第２赤色／緑色／青色画像データからなる偶数番目の単位画像データの出力位置が互いに置き換わっていることがわかる。
【００４３】
すなわち、タイミングコントローラＴＣは、図５に示すように、奇数小画像データ中の第２青色画像データを１番奇数出力ピンＬＰ１から出力し、奇数小画像データ中の第２緑色画像データを２番奇数出力ピンＬＰ２から出力し、奇数小画像データ中の第２赤色画像データを３番奇数出力ピンＬＰ３から出力し、奇数小画像データ中の第２赤色／緑色／青色画像データを４番奇数出力ピンＬＰ４から出力し、奇数小画像データ中の第１青色画像データを５番奇数出力ピンＬＰ５から出力し、奇数小画像データ中の第１緑色画像データを６番奇数出力ピンＬＰ６から出力し、奇数小画像データ中の第１赤色画像データを７番奇数出力ピンＬＰ７から出力し、奇数小画像データ中の第１赤色／緑色／青色画像データを８番奇数出力ピンＬＰ８から出力し、偶数小画像データ中の第２青色画像データを１番偶数出力ピンＲＰ１から出力し、偶数小画像データ中の第２緑色画像データを２番偶数出力ピンＲＰ２から出力し、偶数小画像データ中の第２赤色画像データを３番偶数出力ピンＲＰ３から出力し、偶数小画像データ中の第２赤色／緑色／青色画像データを４番偶数出力ピンＲＰ４から出力し、偶数小画像データ中の第１青色画像データを５番偶数出力ピンＲＰ５から出力し、偶数小画像データ中の第１緑色画像データを６番偶数出力ピンＲＰ６から出力し、偶数小画像データ中の第１赤色画像データを７番偶数出力ピンＲＰ７から出力し、そして偶数小画像データ中の第１赤色／緑色／青色画像データを８番偶数出力ピンＲＰ８から出力する。
【００４４】
図６は、本発明の第３の実施の形態によるデータマッピングを示す図である。
【００４５】
図６に示すデータマッピングは、第１方式に基づくものであり、図３と図６とを比較すると、第１赤色画像データ、第１緑色画像データ、第１青色画像データ及び第１赤色／緑色／青色画像データのそれぞれの出力位置が変更され、また、第２赤色画像データ、第２緑色画像データ、第２青色画像データ及び第２赤色／緑色／青色画像データのそれぞれの出力位置が変更されたことがわかる。
【００４６】
すなわち、タイミングコントローラＴＣは、図６に示すように、奇数小画像データ中の第１赤色／緑色／青色画像データを１番奇数出力ピンＬＰ１から出力し、奇数小画像データ中の第１赤色画像データを２番奇数出力ピンＬＰ２から出力し、奇数小画像データ中の第１緑色画像データを３番奇数出力ピンＬＰ３から出力し、奇数小画像データ中の第１青色画像データを４番奇数出力ピンＬＰ４から出力し、奇数小画像データ中の第２赤色／緑色／青色画像データを５番奇数出力ピンＬＰ５から出力し、奇数小画像データ中の第２赤色画像データを６番奇数出力ピンＬＰ６から出力し、奇数小画像データ中の第２緑色画像データを７番奇数出力ピンＬＰ７から出力し、奇数小画像データ中の第２青色画像データを８番奇数出力ピンＬＰ８から出力し、偶数小画像データ中の第１赤色／緑色／青色画像データを１番偶数出力ピンＲＰ１から出力し、偶数小画像データ中の第１赤色画像データを２番偶数出力ピンＲＰ２から出力し、偶数小画像データ中の第１緑色画像データを３番偶数出力ピンＲＰ３から出力し、偶数小画像データ中の第１青色画像データを４番偶数出力ピンＲＰ４から出力し、偶数小画像データ中の第２赤色／緑色／青色画像データを５番偶数出力ピンＲＰ５から出力し、偶数小画像データ中の第２赤色画像データを６番偶数出力ピンＲＰ６から出力し、偶数小画像データ中の第２緑色画像データを７番偶数出力ピンＲＰ７から出力し、そして偶数小画像データ中の第２青色画像データを８番偶数出力ピンＲＰ８から出力する。
【００４７】
図７は、本発明の第４の実施の形態によるデータマッピングを示す図である。
【００４８】
図７に示すデータマッピングは、第２方式に基づくものであり、図３と図７とを比較すると、奇数小画像データと偶数小画像データの出力位置が互いに置き換わっていることがわかる。
【００４９】
タイミングコントローラＴＣは、図７に示すように、偶数小画像データ中の第１赤色画像データを１番奇数出力ピンＬＰ１から出力し、偶数小画像データ中の第１緑色画像データを２番奇数出力ピンＬＰ２から出力し、偶数小画像データ中の第１青色画像データを３番奇数出力ピンＬＰ３から出力し、偶数小画像データ中の第１赤色／緑色／青色画像データを４番奇数出力ピンＬＰ４から出力し、偶数小画像データ中の第２赤色画像データを５番奇数出力ピンＬＰ５から出力し、偶数小画像データ中の第２緑色画像データを６番奇数出力ピンＬＰ６から出力し、偶数小画像データ中の第２青色画像データを７番奇数出力ピンＬＰ７から出力し、偶数小画像データ中の第２赤色／緑色／青色画像データを８番奇数出力ピンＬＰ８から出力し、奇数小画像データ中の第１赤色画像データを１番偶数出力ピンＲＰ１から出力し、奇数小画像データ中の第１緑色画像データを２番偶数出力ピンＲＰ２から出力し、奇数小画像データ中の第１青色画像データを３番偶数出力ピンＲＰ３から出力し、奇数小画像データ中の第１赤色／緑色／青色画像データを４番偶数出力ピンＲＰ４から出力し、奇数小画像データ中の第２赤色画像データを５番偶数出力ピンＲＰ５から出力し、奇数小画像データ中の第２緑色画像データを６番偶数出力ピンＲＰ６から出力し、奇数小画像データ中の第２青色画像データを７番偶数出力ピンＲＰ７から出力し、奇数小画像データ中の第２赤色／緑色／青色画像データを８番偶数出力ピンＲＰ８から出力する。
【００５０】
図８は、本発明の第５の実施の形態によるデータマッピングを示す図である。
【００５１】
図８に示すデータマッピングは、第１及び第２方式の組み合わせ方式に基づくものであり、図３と図８とを比較すると、第１赤色画像データ、第１緑色画像データ、第１青色画像データ及び第１赤色／緑色／青色画像データのそれぞれの出力位置が変更され、また、第２赤色画像データ、第２緑色画像データ、第２青色画像データ及び第２赤色／緑色／青色画像データのそれぞれの出力位置が変更されるとともに、奇数小画像データと偶数小画像データの出力位置が互いに置き換わっていることがわかる。換言すると、図８に示すデータマッピングは、上述した図６及び図７の組み合わせによるデータマッピングである。
【００５２】
すなわち、タイミングコントローラＴＣは、図８に示すように、偶数小画像データ中の第１赤色／緑色／青色画像データを１番奇数出力ピンＬＰ１から出力し、偶数小画像データ中の第１赤色画像データを２番奇数出力ピンＬＰ２から出力し、偶数小画像データ中の第１緑色画像データを３番奇数出力ピンＬＰ３から出力し、偶数小画像データ中の第１青色画像データを４番奇数出力ピンＬＰ４から出力し、偶数小画像データ中の第２赤色／緑色／青色画像データを５番奇数出力ピンＬＰ５から出力し、偶数小画像データ中の第２赤色画像データを６番奇数出力ピンＬＰ６から出力し、偶数小画像データ中の第２緑色画像データを７番奇数出力ピンＬＰ７から出力し、偶数小画像データ中の第２青色画像データを８番奇数出力ピンＬＰ８から出力し、奇数小画像データ中の第１赤色／緑色／青色画像データを１番偶数出力ピンＲＰ１から出力し、奇数小画像データ中の第１赤色画像データを２番偶数出力ピンＲＰ２から出力し、奇数小画像データ中の第１緑色画像データを３番偶数出力ピンＲＰ３から出力し、奇数小画像データ中の第１青色画像データを４番偶数出力ピンＲＰ４から出力し、奇数小画像データ中の第２赤色／緑色／青色画像データを５番偶数出力ピンＲＰ５から出力し、奇数小画像データ中の第２赤色画像データを６番偶数出力ピンＲＰ６から出力し、奇数小画像データ中の第２緑色画像データを７番偶数出力ピンＲＰ７から出力し、奇数小画像データ中の第２青色画像データを８番偶数出力ピンＲＰ８から出力する。
【００５３】
このように、本発明では、１水平ライン分の画像データを様々なデータマッピング方式を用いて画像データの出力位置を変更することによって、画面が回転してもユーザには画面が正しく見えるようにする。
【００５４】
以上で説明した本発明は、上述した実施の形態及び添付の図面に限定されるものではなく、本発明の技術的思想を逸脱しない範囲内で、様々な置換、変形及び変更が可能であるということが、本発明の属する技術分野における通常の知識を持つ者にとっては明らかである。
【図１】
2010156961.tif 000003
【図２】
2010156961.tif 000004
【図３】
2010156961.tif 000005
【図４】
2010156961.tif 000006
【図５】
2010156961.tif 000007
【図６】
2010156961.tif 000008
【図７】
2010156961.tif 000009
【図８】
2010156961.tif 000010